(57)【要約】【課題】特別遊技領域に入球した遊技球が特別入賞口に一旦入賞しなくても、再度入賞できるチャンスを与える。【解決手段】遊技領域に打込まれた遊技球が入球可能な特別遊技領域１０５内に、遊技球を特別遊技領域１０５内の上部に設けられた落下ガイド部７０に誘導可能な誘導手段と、落下ガイド部７０から落下した遊技球を捕球することにより、遊技球を特別遊技の権利を発生可能とする特別入賞口に搬送可能な第１キャッチャー８０と、落下ガイド部７０から落下した遊技球のうち、第１キャッチャー８０に捕球されない遊技球を捕球することにより、遊技球を誘導手段に返送可能な第２キャッチャー８１と、落下ガイド部７０から落下した遊技球のうち、第１、２キャッチャー８０、８１のいずれにも捕球されない遊技球を遊技領域の裏面に排出する外れ口とを設ける。  【選択図】  図２
2008220855.tif 000002
【特許請求の範囲】
【請求項１】
遊技球を遊技領域に打込んで遊技が行われる弾球遊技機において、
前記遊技領域に打込まれた遊技球が入球可能な特別遊技領域内に、前記特別遊技領域に入球した遊技球を前記特別遊技領域内の上部に設けられた落下ガイド部に誘導可能な誘導手段と、前記落下ガイド部から落下した遊技球を捕球することにより、遊技球を遊技者に対して有利な特別遊技の権利を発生可能とする特別入賞口に搬送可能な特別権利発生捕球部材と、前記落下ガイド部から落下した遊技球のうち、前記特別権利発生捕球部材に捕球されない遊技球を捕球することにより、遊技球を前記誘導手段に返送可能な再抽選捕球部材と、前記落下ガイド部から落下した遊技球のうち、前記特別権利発生捕球部材及び前記再抽選捕球部材のいずれにも捕球されない遊技球を前記遊技領域の裏面に排出する外れ口とを設けたことを特徴とする弾球遊技機。
【請求項２】
前記特別権利発生捕球部材及び前記再抽選捕球部材は、前記落下ガイド部の下方に設けられた垂直面の前面に交互に左右方向へ往復移動し得るようにガイドされ、その折返し地点で捕球した遊技球を排出する動作を行うことを特徴とする請求項１記載の弾球遊技機。
【請求項３】
前記誘導手段は、前記特別遊技領域の一側部から入球した遊技球を、前記落下ガイド部に向けて上昇させるリフト手段を有することを特徴とする請求項１または２記載の弾球遊技機。
【請求項４】
前記誘導手段は、さらに前記落下ガイド部の上方に設けられた受入容器と、前記リフト手段の最上位置に配置され、遊技球を前記受入容器へ向けて発射する発射手段とを有し、前記受入容器に受け入れられた遊技球を、前記受入容器の下面に設けた複数の落し孔のいずれから前記落下ガイド部に排出することを特徴とする請求項３記載の弾球遊技機。
【請求項５】
前記誘導手段は、前記特別遊技の権利が発生したとき、遊技球が移動する通路の一部を切断する橋を有することを特徴とする１〜４のいずれかに記載の弾球遊技機。
【発明の詳細な説明】
【技術分野】
【０００１】
本発明は、遊技球を遊技領域に打込んで遊技を行う弾球遊技機に関する。
【背景技術】
【０００２】
弾球遊技機においては、遊技領域に発射された遊技球が、遊技領域に設けられた始動入賞口に入賞すると、それを契機に、遊技領域のほぼ中央部に配置された入賞装置に設けた羽根部材が開閉動作する。そして、羽根部材が開閉動作したとき、遊技球が入賞装置内に入球すると、その遊技球が入賞装置内の特別遊技領域に設けられた振分手段により、遊技者に対して有利な特別遊技の権利を発生させる特別入賞口または外れ口のいずれかに振り分けられる（例えば、特許文献１、２参照）。
【特許文献１】特開２００６−３４６９４号公報
【特許文献２】特開２００６−１４９４２０号公報
【発明の開示】
【発明が解決しようとする課題】
【０００３】
しかし、上述のような弾球遊技機においては、遊技球が振分手段により振り分けられた時点で、特別遊技の権利が発生するか否かが決定されるため、遊技球の振分が単調であって趣向性が低い。
【０００４】
本発明は、上述の従来の問題に鑑みてなされたもので、特別遊技領域に入球した遊技球が特別入賞口に一旦入賞しなくても、再度入賞できるチャンスを与えることにより、遊技の趣向性を向上させた弾球遊技機を提供することを目的とする。
【課題を解決するための手段】
【０００５】
本発明によると、上記課題は、次のようにして解決される。
（１）遊技球を遊技領域に打込んで遊技が行われる弾球遊技機において、前記遊技領域に打込まれた遊技球が入球可能な特別遊技領域内に、前記特別遊技領域に入球した遊技球を前記特別遊技領域内の上部に設けられた落下ガイド部に誘導可能な誘導手段と、前記落下ガイド部から落下した遊技球を捕球することにより、遊技球を遊技者に対して有利な特別遊技の権利を発生可能とする特別入賞口に搬送可能な特別権利発生捕球部材と、前記落下ガイド部から落下した遊技球のうち、前記特別権利発生捕球部材に捕球されない遊技球を捕球することにより、遊技球を前記誘導手段に返送可能な再抽選捕球部材と、前記落下ガイド部から落下した遊技球のうち、前記特別権利発生捕球部材及び前記再抽選捕球部材のいずれにも捕球されない遊技球を前記遊技領域の裏面に排出する外れ口とを設ける。
【０００６】
（２）上記(１)項において、前記特別権利発生捕球部材及び前記再抽選捕球部材は、前記落下ガイド部の下方に設けられた垂直面の前面に交互に左右方向へ往復移動し得るようにガイドされ、その折返し地点で捕球した遊技球を排出する動作を行う。
【０００７】
（３）上記(１)または(２)項において、前記誘導手段は、前記特別遊技領域の一側部から入球した遊技球を、前記落下ガイド部に向けて上昇させるリフト手段を有する。
【０００８】
（４）上記(３)項において、前記誘導手段は、さらに前記落下ガイド部の上方に設けられた受入容器と、前記リフト手段の最上位置に配置され、遊技球を前記受入容器へ向けて発射する発射手段とを有し、前記受入容器に受け入れられた遊技球を、前記受入容器の下面に設けた複数の落し孔のいずれから前記落下ガイド部に排出する。
【０００９】
（５）請求項(１)〜(４)項において、前記誘導手段は、前記特別遊技の権利が発生したとき、遊技球が移動する通路の一部を切断する橋を有する。
【発明の効果】
【００１０】
本発明によると、次のような効果を奏せられる。
請求項１記載の発明によると、特別遊技領域内に入球した遊技球が、特別権利発生捕球部材に捕球される可能性及び再抽選捕球部材に捕球される可能性が生じる。これにより、特別遊技領域に入球した遊技球のうち特別権利発生捕球部材に捕球されなかった、いわゆる「はずれ球」を再抽選捕球部材が捕球した場合には再抽選が可能な状態となり、趣向性の高い遊技を楽しむことができる。
【００１１】
請求項２記載の発明によると、落下ガイド部から落下した遊技球を、特別権利発生捕球部材または再抽選捕球部材が捕球するか否かを遊技機の前面から目視することができ、遊技の演出効果をより高めることができる。
【００１２】
請求項３記載の発明によると、特別遊技領域に入球した遊技球が、重力に逆らって上昇する意外性とともに、遊技球の特別遊技領域内での滞留時間が長くなり、その分遊技を長時間楽しむことができる
【００１３】
請求項４記載の発明によると、誘導手段に誘導された遊技球が発射手段により発射される意外性とともに、受入容器に受け入れられた遊技球が、複数の落し孔のいずれかから落下ガイド部に排出されるため、遊技球の落下位置を適度に拡散させることができる。
【００１４】
請求項５記載の発明によると、特別遊技の権利が発生した時点で、誘導手段に設けた橋が遊技球の通路の一部を切断するため、特別遊技の状態を橋の動きで確認することができ、遊技の演出効果を高めることができる。
【発明を実施するための最良の形態】
【００１５】
以下、本発明に係る一実施形態を図面に基づいて説明する。図１は、本発明を適用した弾球遊技機の正面図である。なお、以下の説明においては、図１、２において図面手前を「前方または表面」とし、図面奧を「後方または裏面」とし、左方を「左方」とし、右方を「右方」とする。
【００１６】
図１に示すように、弾球遊技機をなすパチンコ機１は、遊技施設に据付けられる外枠２と、外枠２内に固定され、表面に外側ガイドレール５と内側ガイドレール６とによって包囲された円形状の遊技領域７を形成した遊技盤３と、遊技盤３の表面を開閉可能に外枠２に支持されたガラス枠扉４とを備えている。
【００１７】
ガラス枠扉４の下方に設けられた球供給皿９に貯留されている遊技球は、ガラス枠扉４の右下に設けられた操作ハンドル８を回動操作することによって、発射装置（図示略）から発射されて、外側ガイドレール５及び内側ガイドレール６により誘導されて遊技領域７に打込まれ、遊技領域７に植設された多数の遊技釘に当接しながら流下する。なお、遊技釘は図面簡素化のため省略してある。
【００１８】
遊技領域７のほぼ中央部には、遊技領域７に打込まれた遊技球Ａを内部に受入可能な入賞装置１０が配置されている。入賞装置１０は、内部に特別遊技領域１０５を形成するものであり、この入賞装置１０の下方には、遊技球Ａが入球可能な第１始動口３０及び左右の第２始動口３１がそれぞれ配置されている。さらに遊技領域７の最下部には、遊技領域７に打込まれた遊技球を遊技盤３の裏面側に排出するアウト口３２が設けられている。
【００１９】
入賞装置１０は、その左側面に上下方向へ開閉可能な羽根部材１２を有し、第１始動口３０または第２始動口３１に遊技球Ａが入球したことを契機に、羽根部材１２が所定回数開閉動作を行なう。
【００２０】
羽根部材１２が開閉動作している期間は、入賞装置１０の左側面が一旦開放されるため、遊技領域７に打込まれた遊技球Ａが特別遊技領域１０５に入球する確率が高くなる。
【００２１】
図２は、入賞装置１０の正面図、図３は、入賞装置１０の右側面の一部を破断して示す斜視図、図４は、入賞装置１０の右側面及び上面の一部を破断して示す上側から見た斜視図である。なお、図２においては、入賞装置１０の前側に設けられたアクリル等の透明樹脂から形成されるカバー１０ａの後方にある部品を破線で示し、図３以降の図面においては、カバー１０ａを取外した状態を示している。
【００２２】
入賞装置１０は、遊技盤３における遊技領域７の中央にフランジ部１１ａが固定されるとともに、フランジ部１１ａの内側に特別遊技領域１０５を形成した箱型のハウジング１１を備えている。
【００２３】
ハウジング１１の左側部のほぼ中央位置には、羽根部材１２の開閉動作に伴って開閉可能な入賞口２０が開口されている。入賞口２０の直下には、遊技球Ａの通過を検出する入賞センサ２１が配置され、さらに入賞センサ２１の直下には右側に向けて傾斜する誘導路２２、及び誘導路２２中に設けられた跳ね上げ式の橋２３が設けられている。誘導路２２の右端部は、カバー１０ａの右下端に開口された導入口２４（図１参照）を通じてその奥側に設けられたリフト手段４０（図２、４参照）の下端に連通している。
【００２４】
図３、４に示すように、リフト手段４０は、誘導路２２に誘導された遊技球Ａを上昇移動させるもので、その最上位置奥部には、遊技球Ａを一旦停止させる発射待機部５０が設けられている。発射待機部５０の外側には、遊技球Ａを斜め上方へ発射可能な発射手段５１が対向配置されている。発射待機部５０の内側は、発射手段５１により発射された遊技球Ａを誘導するガイド用通路６０を介して特定遊技領域１０５の最上位置の奥部に配置された椀形の受入容器６１に連通している。
【００２５】
受入容器６１の下面には、受入容器６１に受け入れられた遊技球Ａを落下させる複数の落し孔６２が開口されている。受入容器６１の下方には、受入容器６１の落し孔６２から落下した遊技球Ａを受止めて、前方へ落下させる板状の落下ガイド部７０が設けられている。落下ガイド部７０の下方に設けられた第１垂直面７２には、落下ガイド部７０から落下した遊技球Ａを捕球可能な特別権利発生捕球部材をなす第１キャッチャー８０が左右方向へ往復移動可能に支持されている。また第１キャッチャー８０の下方には、落下ガイド部７０から落下した遊技球Ａのうち特別権利発生捕球部材８０により捕球されなかった遊技球Ａを捕球可能な再抽選捕球部材をなす第２キャッチャー８１が第１キャッチャー８０とは逆方向に向けて、左右方向へ往復移動可能に支持されている。
【００２６】
第１キャッチャー８０は、図５、７に示すように、落下ガイド部７０から落下した遊技球Ａを捕球可能な補球姿勢を維持しつつ第１垂直面７２に沿って左右方向に往復動作し、遊技球Ａを捕球している場合には、特別遊技領域１０５における右端折返し地点（図６参照）に設けられた後述する特別入賞口１００に遊技球Ａを排出する動作を行なう。
【００２７】
第２キャッチャー８１は、図５、６に示すように、遊技球Ａを捕球可能な補球姿勢を維持しつつ第１垂直面７２の下方前部に設けられた第２垂直面７４の前面に沿って第１キャッチャー８０とは逆向きに左右方向へ往復動作し、遊技球Ａを捕球している場合には、特別遊技領域１０５の右端折り返し地点（図７参照）に設けられた後述の再抽選用誘導路１０３（図８参照）に遊技球Ａを排出する動作を行なう。第２キャッチャー８１から排出された遊技球Ａは、再抽選用誘導路１０３を通ってカバー１０ａにおける導入口２４の左側方に開口された再チャレンジ用排出口２５（図２参照）から誘導路２２に戻され、再度、リフト手段４０をもって上昇移動して、落下ガイド部７０から落下する動作を行なう。
【００２８】
橋２３は、第１キャッチャー８０に捕球された遊技球Ａが特別入賞口１００を通過して特別遊技の権利が発生したことを契機に、入賞口２０から入球した遊技球Ａが落下ガイド部７０へ誘導されないように、図２に実線で示す倒伏位置から想像線で示す跳ね上げ位置に回動することによって、誘導路２２の一部を切断するものである。橋２３が跳ね上げ位置に回動した場合、遊技球Ａは、橋２３の下方に設けられたガイド部２３ｂ、ガイド部２３ｂの後方に設けられた排出ガイド部７７に誘導され、排出ガイド部７７の左右両側に設けられた外れ口７８を通って遊技盤３の裏側に排出される。そして、特別遊技の権利が終了した時点で、橋２３は倒伏位置に復帰する。なお、橋２３は、誘導路２２の下方に設けられたソレノイド２３ａによって回動する。
【００２９】
なお、本発明における特別遊技領域１０５内に入球した遊技球Ａを落下ガイド部７０に誘導可能な誘導手段は、誘導路２２、橋２３、リフト手段４０及び発射手段５１を含むものとするが、本発明は、これに特定されるものでなく、適宜変更可能である。
【００３０】
図３、４に示すように、リフト手段４０は、奥行方向に配列された複数のカム４１と、カム４１の後部にあってカム軸に軸結した駆動モータ４２と、各カム４１の上部にあって、それぞれのカムリード面に下端を接し、かつ奥行方向に向けて順次その高さを高くした複数の昇降ロッド４３と、各昇降ロッド４３の側面に配置され、各昇降ロッド４３を昇降ガイドするガイド用スリット４４ａを開口したガイドプレート４４と、各昇降ロッド４３の頂部に一体化され、奥行方向に向けて若干下り傾斜した設置プレート４５とを備えている。
【００３１】
駆動モータ４２の回転に伴う各カム４１の偏心運動に応じて前列の昇降ロッド４３から順に昇降動作を繰返す。これにより、導入口２４に導入された遊技球Ａは、昇降ロッド４３の昇降運動により順次高さを増しつつ後部側まで順送りされ、最終的に発射待機部５０まで上昇移動する。
【００３２】
発射手段５１は、発射待機部５０に向けて回動可能に支持された発射レバー５２と、その先端に一体化されたハンマー５３を備えている。発射レバー５２は、図示略のソレノイドに連係され、発射待機部５０に遊技球Ａが誘導される毎、ソレノイドにより発射レバー５２を回動させて、ハンマー５３により遊技球Ａを発射する。
【００３３】
発射された遊技球Ａは、ガイド用通路６０を通って受入容器６１内に入球し、受入容器６１の内周面を転動した後、複数の落し孔６２のいずれから落下ガイド部７０上に落下する。これにより、落し孔６２からの落球位置や回転慣性等により遊技球Ａの落下位置や転動方向を拡散させることができる。
【００３４】
落下ガイド７０上に落下した遊技球Ａは、前方へ転動して落下ガイド部７０の前端から落下する。このとき、遊技球Ａが落下するタイミングと、第１キャッチャー８０が遊技球Ａの真下を通過するタイミングとが一致すると、遊技球Ａは第１キャッチャー８０に捕球される。また、第１キャッチャー８０により捕球されなかった、いわゆる「はずれ球」の落下位置と第２キャッチャー８１の移動位置とが一致すれば、第２キャッチャー８１により遊技球Ａが捕球される。
【００３５】
図５〜図７は、第１、２キャッチャー８０、８１及びその近傍、並びにキャッチャー駆動機構を示す斜視図である。落下ガイド部７０の下方には、その前端に連続する第１垂直面７２が形成され、第１垂直面７２には、その下縁に連続する前下り傾斜の傾斜面７３が形成され、傾斜面７３の下方には、その前縁に連続する第２垂直面７４が形成されている。第１、第２キャッチャー８０、８１は、第１、第２垂直面７２及び７４に形成された図示略の上向き円弧状スリット、図示略の下向き円孔状のスリットを通して左右方向へ移動可能に突出している。
【００３６】
第１垂直面７２の前面右端部には、第１キャッチャー８０が右端折り返し地点に達したとき（図６参照）、第１キャッチャー８０の側部に当接可能な第１解除ピン７５が突設され、また、第２垂直面７４の前面右端部には、第２キャッチャー８１が右端折り返し地点に達したとき（図７参照）、第２キャッチャー８１の側部に当接可能な第２解除ピン７６が突設されている。
【００３７】
第１キャッチャー８０は、ハウジング１１の背面に設けられた図示略の第１の平行リンクの上端部に枢着される背面板８２と、背面板８２の前面に枢軸８２ａにより揺動可能に枢支され、かつ上部に遊技球Ａの球面に応じたくぼみ形状の捕球部８３ｂを形成した捕球用のグラブ８３と、グラブ８３の右方に枢軸８２ｂにより揺動可能に枢支され、かつグラブ８３の右側部下縁に設けられた爪部８３ａに先端が係合することにより、グラブ８３の捕球部８３ｂを上向き位置、すなわち落下ガイド部７０から落下した遊技球Ａを捕球可能な補球姿勢に保持するロック部材８４とを備えている。なお、第２キャッチャー８２は、第１キャッチャー８０と同一構造、同一寸法であるため、図面に第１キャッチャー８０と同一符号を付して、詳細な説明は省略する。
【００３８】
各キャッチャー８０、８１を左右方向へ往復動作させるためのキャッチャー駆動機構９０は、ハウジング１１の裏面に前後方向の軸廻りに回動可能に支持された回転板９２と、回転板９２の外周部側面に回転可能に連結され、回転板９２の１８０度回転毎に移動方向を反転するクランクレバー９５と、クランクレバー９５の端部に回動可能に連結される一対の平行リンク９４、９４と、回転板９２を回転させるモータ９３とを備えている。
【００３９】
各キャッチャー８０、８１は、交互に反対方向へ上向き円弧及び下向き円弧を描きつつ第１、第２垂直面７２，７４に沿って左右方向へ水平度を保ちつつ移動し、落下ガイド部７０から落下する遊技球Ａの捕球動作を繰返し、例えば、第１キャッチャー８０が左端折返し点に到達したときは、第２キャッチャー８１が右端折り返し地点に到達する。
【００４０】
第１キャッチャー８０は、グラブ８３の捕球部８３ｂに遊技球Ａを捕球している場合、右端折り返し地点に到達すると、第１解除ピン７５にロック部材８４の側部が当接して、ロック部材８４が解除方向（図５においてＢ方向）へ回動してグラブ８３の係止爪８３ａから外れることにより、図６に示すように、グラブ８３が遊技球Ａの重さにより右傾して遊技球Ａを排出する。
【００４１】
第１キャッチャー８０におけるグラブ８３の排出先の直下には、グラブ８３から排出された遊技球Ａが入球可能な特別入賞口１００が配置されている。特別入賞口１００内には、遊技球Ａの通過を検出するための特別入賞検出センサ１００ａが設けられている。特別入賞検出センサ１００ａは、遊技球Ａの通過を検出することによって、その特別権利発生信号を遊技盤３の裏面に設けられた図示略の制御回路部に送信する。制御回路部は、特別権利発生権利信号を入力することによって、遊技を遊技者によって有利な特別遊技の権利を発生させて、特別遊技状態に変化させる。
【００４２】
特別遊技の権利が発生した場合には、例えば羽根部材１２が所定回数開閉動作を繰返すか、あるいは羽根部材１２が開閉動作している最中に、遊技球Ａが特定遊技領域１０５内に所定数（例えば１０個）入球するまで繰返される動作が、複数ラウンドに亘って繰返され、遊技者に対して短時間に大量の賞球、すなわち遊技価値を付与することになる。この期間は、橋２３は跳ね上げ位置に移動して、遊技状態の変化を目視することができるとともに、入賞口２０から入球した遊技球Ａの全ては外れ口７８から遊技盤３の裏面側に排出される。特別遊技状態が終了すると、再び橋２３は倒伏位置に移動する。
【００４３】
第２キャッチャー８１は、グラブ８３の捕球部８３ｂに遊技球Ａを捕球している場合、右端折り返し地点に到達すると、第２解除ピン７６にロック部材８４の側部が当接して、ロック部材８４が解除方向（図５においてＢ方向）へ回動してグラブ８３の係止爪８３ａから外れることにより、図７、８に示すように、グラブ８３が遊技球Ａの重さにより右傾して遊技球Ａを再抽選用誘導路１０３に排出する。
【００４４】
図８に示すように、第２キャッチャー８１のグラブ８３から排出された遊技球８３は、再抽選用誘導路１０３、再チャレンジ用排出口２５を通って誘導路２２の末端に転動して、再びリフト手段４０、発射手段５１を通って受入容器６１内に導入されて、落下ガイド部７０上に落下する。
【００４５】
以上により、本実施形態においては、特別遊技領域１０５内に入球した遊技球Ａが、第１キャッチャー８０のグラブ８３に捕球される可能性及び第２キャッチャー８１のグラブ８３に捕球される可能性が生じる。これにより、特別遊技領域１０５に入球した遊技球Ａのうち第１キャッチャー８０のグラブ８３に捕球されなかった、いわゆる「はずれ球」を第２キャッチャー８１のグラブ８３が捕球した場合には再抽選が可能な状態となり、趣向性の高い遊技を楽しむことができる。
【図面の簡単な説明】
【００４６】
【図１】本発明を適用した弾球遊技機の正面図である。
【図２】入賞装置の正面図である。
【図３】入賞装置の右側面の一部を切り欠いて右側面から見た斜視図である。
【図４】入賞装置の右側面及び上部の一部を切り欠いて上方から見た斜視図である。
【図５】入賞装置における要部の斜視図である。
【図６】入賞装置における要部の状態変化を示す斜視図である。
【図７】入賞装置における要部の他の状態変化を示す斜視図である。
【図８】図７におけるａ部の拡大図である。
【符号の説明】
【００４７】
１  弾球遊技機（パチンコ機）
２  外枠
３  遊技盤
４  ガラス枠扉
５  外側ガイドレール
６  内側ガイドレール
７  遊技領域
８  操作ハンドル
９  球供給皿
１０  入賞装置（特別遊技領域）
１０ａ  カバー
１１  ハウジング
１１ａ  フランジ部
１２  羽根部材
２０  入賞口  
２１  入賞センサ
２２  誘導路（誘導手段）
２３  橋（誘導手段）
２３ａ  ソレノイド  
２３ｂ  ガイド部  
２４  導入口  
２５  再チャレンジ用排出口
３０  第１始動口
３１  第２始動口
３２  アウト口
４０  リフト手段（誘導手段）
４１  カム  
４２  駆動モータ
４３  昇降ロッド
４４  ガイドプレート
４４ａ  ガイド用スリット
４５  設置プレート
５０  発射待機部
５１  発射手段
５２  発射レバー
５３  ハンマー
６０  ガイド用通路
６１  受入容器
６２  落し孔
７０  落下ガイド部
７２  第１垂直面
７３  傾斜面
７４  第２垂直面
７５  第１解除ピン
７６  第２解除ピン
７７  排出ガイド部
７８  外れ口
８０  第１キャッチャー（特別権利発生捕球部材）
８１  第２キャッチャー（再抽選捕球部材）
８２  背面板
８２ａ、８２ｂ  枢軸
８３  グラブ
８３ａ  係止爪
８３ｂ  捕球部
８４  ロック部材
９０  キャッチャー駆動機構
９２  回転板
９３  モータ
９４  平行リンク
９５  クランクレバー
１００  特別入賞口
１００ａ  特別入賞検出センサ
１０３  再抽選用誘導路
１０５  特別遊技領域
Ａ  遊技球
【図１】
2008220855.tif 000003
【図２】
2008220855.tif 000004
【図３】
2008220855.tif 000005
【図４】
2008220855.tif 000006
【図５】
2008220855.tif 000007
【図６】
2008220855.tif 000008
【図７】
2008220855.tif 000009
【図８】
2008220855.tif 000010